(57)【要約】【課題】  ＵＳＢホスト２からデータラインＤ＋、Ｄ−にデータが供給されていない場合にも、ＤＡＰ２０に充電処理を実行させること。【解決手段】  ＵＳＢホスト２からデータが出力されていることが検出部３で検出されると、ＵＳＢスイッチ４は、データラインＤ＋、Ｄ−を介してＤＡＰ２０にＵＳＢホスト２からのデータを供給するよう切り換える。従って、ＤＡＰ２０にデータラインＤ＋、Ｄ−を介してデータを供給でき、かつ、ＤＡＰ２０に充電処理を実行させることができる。ＵＳＢホスト２からデータが出力されていないことが検出部３で検出されると、ＵＳＢスイッチ４は、データラインＤ＋、Ｄ−を介してＤＡＰ０に電圧供給部５からの所定電圧を供給するよう切り換える。従って、ＵＳＢホスト２からデータが出力されていない場合であっても、ＤＡＰ２０に充電処理を実行させることができる。【選択図】図１
2011008673.tif 000002
【特許請求の範囲】
【請求項１】
データラインを介してデータが送受信されている場合、又は、前記データラインを介して所定電圧が供給されている場合のみに電子機器からの充電用電圧を受け充電処理を実行するコンテンツ再生装置に接続可能であり、前記コンテンツ再生装置に前記充電用電圧を供給する前記電子機器であって、
前記コンテンツ再生装置と前記データラインを介して前記データを送受信するデータ送受信部と、
前記所定電圧を供給する電圧供給部と、
前記データラインを介して前記コンテンツ再生装置に前記データ送受信部からの前記データを送受信するか、又は、前記データラインを介して前記コンテンツ再生装置に前記電圧供給部からの前記所定電圧を供給するかを切り換えるスイッチ部と、
前記データ送受信部から前記データが出力されているか否かを判断し、前記データ送受信部から前記データが出力されている場合、前記データラインを介して前記コンテンツ再生装置に前記データ送受信部からの前記データを供給させるよう前記スイッチ部を制御し、前記データ送受信部から前記データが出力されていない場合、前記データラインを介して前記コンテンツ再生装置に前記電圧供給部からの前記所定電圧を供給させるよう前記スイッチ部を制御する検出手段とを備える、電子機器。
【請求項２】
前記検出手段が、前記データ送受信部から出力される前記データの所定時間当たりのパルス数が所定数以上であるか否かを判断し、前記データ送受信部から出力される前記データの所定時間当たりのパルス数が所定数以上である場合、前記データラインを介して前記コンテンツ再生装置に前記データ送受信部からの前記データを供給させるよう前記スイッチ部を制御し、前記データ送受信部から出力される前記データの所定時間当たりのパルス数が所定数未満である場合、前記データラインを介して前記コンテンツ再生装置に前記電圧供給部からの前記所定電圧を供給させるよう前記スイッチ部を制御する、請求項１に記載の電子機器。
【請求項３】
前記スイッチ部が前記データラインを介して前記コンテンツ再生装置に前記データ送受信部からの前記データを出力させている状態においては、前記検出手段が、前記データ送受信部から前記データが出力されていない状態が一定時間以上継続したか否かを判断し、前記データ送受信部から前記データが出力されていない状態が一定時間以上継続した場合に、前記データラインを介して前記コンテンツ再生装置に前記電圧供給部からの前記所定電圧を供給させるよう前記スイッチ部を制御する、請求項１または２に記載の電子機器。
【請求項４】
コンテンツ再生装置との間でデータラインを介してデータを送受信するデータ送受信部を備える電子機器と、前記データラインを介して前記データが送受信されている場合、又は、前記データラインを介して所定電圧が供給されている場合にのみアダプタ装置からの充電用電圧を受け充電処理を実行する前記コンテンツ再生装置との間に接続可能であり、前記コンテンツ再生装置に前記充電用電圧を供給する前記アダプタ装置であって、
前記所定電圧を供給する電圧供給部と、
前記データラインを介して前記コンテンツ再生装置に前記データ送受信部からの前記データを出力するか、又は、前記データラインを介して前記コンテンツ再生装置に前記電圧供給部からの前記所定電圧を供給するかを切り換えるスイッチ部と、
前記データ送受信部から前記データが出力されているか否かを判断し、前記データ送受信部から前記データが出力されている場合、前記データラインを介して前記コンテンツ再生装置に前記データ送受信部からの前記データを供給させるよう前記スイッチ部を制御し、前記データ送受信部から前記データが出力されていない場合、前記データラインを介して前記コンテンツ再生装置に前記電圧供給部からの前記所定電圧を供給させるよう前記スイッチ部を制御する検出手段とを備える、アダプタ装置。
【請求項５】
前記検出手段が、前記データ送受信部から出力される前記データの所定時間当たりのパルス数が所定数以上であるか否かを判断し、前記データ送受信部から出力される前記データの所定時間当たりのパルス数が所定数以上である場合、前記データラインを介して前記コンテンツ再生装置に前記データ送受信部からの前記データを供給させるよう前記スイッチ部を制御し、前記データ送受信部から出力される前記データの所定時間当たりのパルス数が所定数未満である場合、前記データラインを介して前記コンテンツ再生装置に前記電圧供給部からの前記所定電圧を供給させるよう前記スイッチ部を制御する、請求項４に記載のアダプタ装置。
【発明の詳細な説明】
【技術分野】
【０００１】
本発明は、コンテンツ再生装置に充電電圧を供給する電子機器及びアダプタ装置に関する。
【背景技術】
【０００２】
ＨＤＤやフラッシュメモリ等の記憶媒体を備え、記憶媒体に記録されているコンテンツを再生する携帯型プレーヤ（以下、ＤＡＰという。）が広く使用されている。ＤＡＰは、充電池を内蔵しており、充電池に充電されている電圧を使用してコンテンツの再生を実行する。ここで、ＤＡＰは、ＰＣやクレードルにＵＳＢ経由で接続され、ＰＣやクレードルから充電用電圧が供給されることにより、充電池に充電処理を実行する。ＤＡＰの中には、ＵＳＢのデータラインＤ＋、Ｄ−にＵＳＢ信号が伝送されている、又は、ＵＳＢのデータラインＤ＋，Ｄ−に所定範囲の電圧値の電圧が供給されていることを判断したときのみ充電池の充電処理を実行する仕様のものが存在する。
【０００３】
図６は、ＤＡＰがＵＳＢ経由でＰＣに接続された状態を示す。ＤＡＰは、ＵＳＢのデータラインＤ＋、Ｄ−にＰＣのＵＳＢホストからＵＳＢ信号が出力されている場合に、＋５Ｖ電源ラインを介してＰＣから充電用電圧を受け充電池を充電する。一方、ＵＳＢのデータラインＤ＋、Ｄ−にＵＳＢ信号が出力されていない場合に、＋５Ｖ電源ラインを介してＰＣからの充電用電圧を受けず、充電池を充電しない。従って、ＰＣの電源がオフ状態にされると、ＵＳＢホストからＵＳＢのデータラインＤ＋、Ｄ−にＵＳＢ信号が出力されなくなるので、ＤＡＰは、充電池を充電できなくなるという問題がある。
【０００４】
図７は、ＤＡＰがＵＳＢ経由でクレードルに接続された状態を示す。ＵＳＢのデータラインＤ＋には＋５Ｖ電圧が抵抗Ｒａ及びＲｂによって分圧されて供給され、Ｄ−には＋５Ｖ電圧が抵抗Ｒｃ及びＲｄによって分圧されて供給される。ＤＡＰは、ＵＳＢのデータラインＤ＋、Ｄ−に所定範囲の電圧値の電圧が供給されることを判断し、＋５Ｖ電源ラインを介してＰＣから充電用電圧を受け充電池を充電する。
【先行技術文献】
【特許文献】
【０００５】
【特許文献１】特開２００７−６８３３３号公報
【発明の概要】
【発明が解決しようとする課題】
【０００６】
本発明の目的は、データ送受信部からデータラインにデータが出力されていない場合にも、コンテンツ再生装置に充電処理を実行させることができる電子機器及びアダプタ装置を提供することである。
【課題を解決するための手段】
【０００７】
本発明の好ましい実施形態による電子機器は、データラインを介してデータが供給されている場合、又は、前記データラインを介して所定電圧が供給されている場合のみに電子機器からの充電用電圧を受け充電処理を実行するコンテンツ再生装置に接続可能であり、前記コンテンツ再生装置に前記充電用電圧を供給する前記電子機器であって、前記コンテンツ再生装置と前記データラインを介して前記データを送受信するデータ送受信部と、前記所定電圧を供給する電圧供給部と、前記データラインを介して前記コンテンツ再生装置に前記データ送受信部からの前記データを供給するか、又は、前記データラインを介して前記コンテンツ再生装置に前記電圧供給部からの前記所定電圧を供給するかを切り換えるスイッチ部と、前記データ送受信部から前記データが出力されているか否かを判断し、前記データ送受信部から前記データが出力されている場合、前記データラインを介して前記コンテンツ再生装置に前記データ送受信部からの前記データを供給させるよう前記スイッチ部を制御し、前記データ送受信部から前記データが出力されていない場合、前記データラインを介して前記コンテンツ再生装置に前記電圧供給部からの前記所定電圧を供給させるよう前記スイッチ部を制御する検出手段とを備える。
【０００８】
データ送受信部からデータが出力されている場合、スイッチ部は、データラインを介してコンテンツ再生装置にデータ送受信部からのデータを供給させるよう切り換える。従って、コンテンツ再生装置にデータラインを介してデータを供給でき、かつ、コンテンツ再生装置に充電処理を実行させることができる。データ送受信部からデータが出力されていない場合、スイッチ部は、データラインを介してコンテンツ再生装置に電圧供給部からの所定電圧を供給させるよう切り換える。従って、データ送受信部からデータが出力されていない場合であっても、コンテンツ再生装置に充電処理を実行させることができる。
【０００９】
好ましい実施形態においては、前記検出手段が、前記データ送受信部から出力される前記データの所定時間当たりのパルス数が所定数以上であるか否かを判断し、前記データ送受信部から出力される前記データの所定時間当たりのパルス数が所定数以上である場合、前記データラインを介して前記コンテンツ再生装置に前記データ送受信部からの前記データを供給させるよう前記スイッチ部を制御し、前記データ送受信部から出力される前記データの所定時間当たりのパルス数が所定数未満である場合、前記データラインを介して前記コンテンツ再生装置に前記電圧供給部からの前記所定電圧を供給させるよう前記スイッチ部を制御する。
【００１０】
好ましい実施形態においては、前記スイッチ部が前記データラインを介して前記コンテンツ再生装置に前記データ送受信部からの前記データを供給させている状態においては、前記検出手段が、前記データ送受信部から前記データが出力されていない状態が一定時間以上継続したか否かを判断し、前記データ送受信部から前記データが出力されていない状態が一定時間以上継続した場合に、前記データラインを介して前記コンテンツ再生装置に前記電圧供給部からの前記所定電圧を供給させるよう前記スイッチ部を制御する。
【００１１】
電子機器の電源がオン状態であり、かつ、きわめて短い時間のみデータ送受信部からデータラインにデータが供給されない場合には、スイッチ部は、データラインを介してコンテンツ再生装置に電圧供給部からの所定電圧を供給させるよう切り換えない。従って、データ供給部からのデータがデータラインを介してコンテンツ再生装置に供給されなくなり、電子機器とコンテンツ再生装置との間でデータを送受信できなくなることを防止できる。
【００１２】
本発明の好ましい実施形態によるアダプタ装置は、コンテンツ再生装置との間でデータラインを介してデータを送受信するデータ送受信部を備える電子機器と、前記データラインを介して前記データが供給されている場合、又は、前記データラインを介して所定電圧が供給されている場合にのみアダプタ装置からの充電用電圧を受け充電処理を実行する前記コンテンツ再生装置との間に接続可能であり、前記コンテンツ再生装置に前記充電用電圧を供給する前記アダプタ装置であって、前記所定電圧を供給する電圧供給部と、前記データラインを介して前記コンテンツ再生装置に前記データ送受信部からの前記データを供給するか、又は、前記データラインを介して前記コンテンツ再生装置に前記電圧供給部からの前記所定電圧を供給するかを切り換えるスイッチ部と、前記データ送受信部から前記データが出力されているか否かを判断し、前記データ送受信部から前記データが出力されている場合、前記データラインを介して前記コンテンツ再生装置に前記データ送受信部からの前記データを供給させるよう前記スイッチ部を制御し、前記データ送受信部から前記データが出力されていない場合、前記データラインを介して前記コンテンツ再生装置に前記電圧供給部からの前記所定電圧を供給させるよう前記スイッチ部を制御する検出手段とを備える。
【００１３】
好ましい実施形態においては、前記検出手段が、前記データ送受信部から出力される前記データの所定時間当たりのパルス数が所定数以上であるか否かを判断し、前記データ送受信部から出力される前記データの所定時間当たりのパルス数が所定数以上である場合、前記データラインを介して前記コンテンツ再生装置に前記データ送受信部からの前記データを供給させるよう前記スイッチ部を制御し、前記データ送受信部から出力される前記データの所定時間当たりのパルス数が所定数未満である場合、前記データラインを介して前記コンテンツ再生装置に前記電圧供給部からの前記所定電圧を供給させるよう前記スイッチ部を制御する。
【発明の効果】
【００１４】
データ送受信部からデータラインにデータが供給されていない場合にも、コンテンツ再生装置に充電処理を実行させることができる。
【図面の簡単な説明】
【００１５】
【図１】本発明の好ましい実施形態による電子機器１及びＤＡＰ２０を示すブロック図である。
【図２】本発明の別の好ましい実施形態による電子機器１Ｂ及びＤＡＰ２０を示すブロック図である。
【図３】電子機器１の処理を示すフローチャートである。
【図４】電子機器１の処理を示すフローチャートである。
【図５】本発明の好ましい実施形態による電子機器１Ｃ、アダプタ装置１０及びＤＡＰ２０を示すブロック図である。
【図６】従来のＰＣ及びＤＡＰを示すブロック図である。
【図７】従来のクレードル及びＤＡＰを示すブロック図である。
【発明を実施するための形態】
【００１６】
以下、本発明の好ましい実施形態について、図面を参照して具体的に説明するが、本発明はこれらの実施形態には限定されない。
【００１７】
図１は、本発明の好ましい実施形態による電子機器（以下、ＰＣという。）１と、携帯型プレーヤ（以下、ＤＡＰ（Digital Audio Player）という。）２０とを示す概略ブロック図である。ＤＡＰ２０は、データライン及び電源ラインを含む所定規格の通信ライン（以下、ＵＳＢ（Universal Serial Bus）という。）を介して、ＰＣ１に接続可能である。ＵＳＢは、＋５Ｖ電源ラインと、データラインＤ＋、Ｄ−と、接地ラインとを含む。
【００１８】
ＤＡＰ２０は、図示しないＨＤＤ又はフラッシュメモリ等の記憶媒体を備え、記憶媒体に記録されているコンテンツ（音楽ファイルや映像ファイル等）を再生する。ＤＡＰ２０は、充電池を内蔵し、ＰＣ１にＵＳＢ経由で接続されることにより、ＰＣ１から＋５Ｖ電源ラインを介して充電用電圧を受けて、充電池に充電処理を実行する。ＤＡＰ２０は、ＵＳＢのデータラインＤ＋、Ｄ−を介してＰＣ１のＵＳＢホスト２からデータ（以下、ＵＳＢ信号という。）が出力されている（つまり、ＵＳＢホスト２との間でＵＳＢ信号を送受信している）、又は、ＵＳＢのデータラインＤ＋、Ｄ−に所定範囲の電圧値の電圧が供給されていることを判断した場合のみに、充電池への充電処理を実行し、そうでない場合に充電処理を実行しない。
【００１９】
ＰＣ１は、ＵＳＢ経由で接続されるＤＡＰ２０に充電用電圧を＋５Ｖ電源ラインを介して供給し、ＤＡＰ２０に充電処理を実行させる。ＰＣ１は、ＵＳＢホスト２と、検出部３と、ＵＳＢスイッチ４と、電圧供給部５と、ＵＳＢポート６とを概略備える。
【００２０】
ＵＳＢホスト２は、ＵＳＢのデータラインＤ＋、Ｄ−にＵＳＢ信号を供給する、又は、ＵＳＢポート６に接続されたＤＡＰ２０から供給されるＵＳＢ信号を受信することにより、ＤＡＰ２０と通信を行うものである。
【００２１】
検出部３は、ＵＳＢホスト２からＵＳＢ信号が出力されているか否かを検出し、検出結果に基づいて、ＵＳＢスイッチ４を切り換え制御する。ＰＣ１の電源がオフ状態になると、ＵＳＢホスト２はＵＳＢ信号を出力しなくなり、ＰＣ１の電源がオン状態になると、ＵＳＢホスト２はＵＳＢ信号を出力する。
【００２２】
検出部３は、ＵＳＢホスト２からＵＳＢ信号が出力されていることを検出すると、ＵＳＢポート６がＵＳＢホスト２に接続されるように、ＵＳＢスイッチ４を制御する。これにより、ＵＳＢホスト２からＵＳＢ信号が出力されている場合、ＤＡＰ２０にデータラインＤ＋、Ｄ−を介してＵＳＢホスト２からのＵＳＢ信号が供給され、ＤＡＰ２０に充電処理を実行させることができる。
【００２３】
一方、検出部３は、ＵＳＢホスト２からＵＳＢ信号が出力されていないことを検出すると、ＵＳＢポート６がＵＳＢホスト２ではなく電源供給部５に接続されるように、ＵＳＢスイッチ４を制御する。これにより、ＵＳＢホスト２からＵＳＢ信号が出力されていない場合、ＤＡＰ２０に電源供給部５からデータラインＤ＋、Ｄ−を介して所定範囲の電圧値の電圧が供給されるので、ＤＡＰ２０にクレードルに接続された状態であると認識させ、ＤＡＰ２０に充電処理を実行させることができる。
【００２４】
詳細には、ＵＳＢホスト２からＵＳＢ信号が出力されているか否かを検出するということは、ＵＳＢホスト２からデータラインＤ＋、Ｄ−に出力されるＵＳＢ信号の所定時間当たりのパルス数が所定数以上であるか否かを検出することである。つまり、検出部３は、ＵＳＢ信号のパルス数をカウントしている。なお、所定数とは、ＤＡＰ２０が、データラインＤ＋、Ｄ−にＵＳＢ信号が供給されていると判断することができるパルス数であり、ＤＡＰ２０の製造者によって定められている。例えば、ＰＣ１の電源がオフ状態になると、ＵＳＢ信号の所定時間当たりのパルス数は０になる。また、ＰＣの電源がオン状態になると、ＵＳＢホスト２からＵＳＢポート６に対して所定間隔で問い合わせのＵＳＢ信号が送信されるので、ＵＳＢ信号の所定時間当たりのパルス数が所定数以上になる。さらに、ＵＳＢポート６にＤＡＰ２０が接続されると、ＵＳＢホスト２とＤＡＰ２０との間で頻繁に通信が行われるので、ＵＳＢ信号の所定時間当たりのパルス数は所定数よりもかなり多くなる。
【００２５】
ＵＳＢスイッチ４は、ＵＳＢポート６のデータラインＤ＋、Ｄ−を、ＵＳＢホスト２に接続させるか、又は、電源供給部５に接続させるかを、検出部３からの指示に基づいて切り換える。ＵＳＢスイッチ４はデータラインＤ＋、Ｄ−のそれぞれに対応するスイッチを有しており、各スイッチは連動して切り換えられる。ＵＳＢスイッチ４が図示上側に切り換えられたとき、ＵＳＢポート６にＵＳＢホスト２が接続され、ＵＳＢスイッチ４が図示下側に切り換えられたとき、ＵＳＢポート６に電源供給部５が接続される。
【００２６】
電源供給部５は、ＵＳＢホスト２がＵＳＢ信号を出力していないとき（つまり、ＵＳＢホスト２からのＵＳＢ信号の所定時間当たりのパルス数が所定数未満のとき）、ＵＳＢのデータラインＤ＋、Ｄ−に所定範囲の電圧値の電圧を供給することにより、ＤＡＰ２０にクレードルが接続されたことを認識させ、充電処理を実行させる。電源供給部５は、＋５Ｖ電源と、抵抗Ｒａ〜Ｒｄを含む。電源供給部５は、データラインＤ＋に＋５Ｖ電源電圧が抵抗Ｒａ及びＲｂによって分圧された電圧を供給し、データラインＤ−に＋５Ｖ電源電圧が抵抗Ｒｃ及びＲｄによって分圧された電圧が供給される。
【００２７】
ＵＳＢポート６は、ＤＡＰ２０のＵＳＢポート２１とＵＳＢを介して接続される。ＵＳＢポート６は、＋５Ｖ電源電圧が供給される端子と、データラインＤ＋、Ｄ−に対応する端子と、接地電位に対応する端子とを含む。
【００２８】
図２は、図１の変形例を示す。図２に示すＰＣ１Ｂは、検出部３の代わりに制御手段であるＭＣＵ７が設けられている。ＭＣＵ７のポートは、データラインＤ＋、Ｄ−に接続されている。ＭＣＵ７は、検出部２と同じ機能を有し、ＵＳＢホスト２からＵＳＢ信号が出力されているか否か（つまり、ＵＳＢホスト２から出力されているＵＳＢ信号の所定時間当たりのパルス数が所定数以上であるか否か）を検出し、検出結果に基づいて、ＵＳＢスイッチ４を切り換え制御する。
【００２９】
以下、本発明の動作を説明する。図３は、図１のＰＣ１が電源オフ状態から電源オン状態に移行する際の処理を示す。ＰＣ１が電源オフ状態であるとき（Ｓ１）、ＵＳＢスイッチ４は電圧供給部５を選択し、ＵＳＢポート６は電圧供給部５に接続されている（Ｓ２）。従って、データラインＤ＋、Ｄ−には電圧供給部５からの所定電圧が供給されている。ＤＡＰ２０は、データラインＤ＋、Ｄ−に所定電圧が供給されていることを判断し、その結果、クレードルが接続されていると認識し、＋５Ｖ電源ラインを介してＰＣ１から充電用電圧を受けて、充電処理を実行する。
【００３０】
ＰＣ１が電源オン状態に移行すると（Ｓ３）、検出部３は、ＵＳＢホスト２からＵＳＢ信号が出力されているか（つまり、ＵＳＢ信号の所定時間当たりのパルス数が所定数以上であるか）否かを判断する（Ｓ４）。ＵＳＢホスト２からＵＳＢ信号が出力されていなければ（Ｓ４でＮＯ）、ＵＳＢポート６が電圧供給部５に接続された状態が維持される。ＵＳＢホスト２からＵＳＢ信号が出力されていると判断されると（Ｓ４でＹＥＳ）、検出部３は、ＵＳＢスイッチ４を制御し、ＵＳＢスイッチ４にＵＳＢホスト２を選択させる。ＵＳＢポート６は、ＵＳＢホスト２に接続され（Ｓ５）、データラインＤ＋、Ｄ−にＵＳＢホスト２からＵＳＢ信号が供給される。ＤＡＰ２０は、データラインＤ＋、Ｄ−にＵＳＢ信号が供給されていることを判断し、ＰＣ１とＵＳＢ経由で通信可能であることを認識し、＋５Ｖ電源ラインを介してＰＣ１から充電用電圧を受けて、充電処理を実行する。
【００３１】
検出部２はＵＳＢホスト２からＵＳＢ信号が出力されていない状態が、一定時間以上継続している（ＵＳＢ信号の所定時間当たりのパルス数が所定数未満である状態が一定時間以上継続している）か否かを判断する（Ｓ６）。継続している場合（Ｓ６でＹＥＳ）、ＤＡＰ２０がＰＣ１とＵＳＢ経由で通信していないと判断し、充電処理を実行しない可能性がある。従って、検出部３は、ＵＳＢスイッチ４に電圧供給部５を選択させ、ＵＳＢポート６は、電圧供給部５に接続される（Ｓ７）。従って、データラインＤ＋、Ｄ−には電圧供給部５からの所定電圧が供給され、ＤＡＰ２０は、データラインＤ＋、Ｄ−に所定電圧が供給されていることを判断し、クレードルが接続されていると認識し、充電処理を実行する。その後、Ｓ４に戻って、検出部２は、再度、ＵＳＢホスト２からＵＳＢ信号が出力されているか否かを判断し、出力されている場合、ＵＳＢスイッチ４にＵＳＢホスト２を選択させる。
【００３２】
Ｓ６において、ＵＳＢホスト２からＵＳＢ信号が出力されていない状態が、一定時間以上継続していない場合、つまり、ＵＳＢホスト２からＵＳＢ信号が出力されていない状態が非常に短い時間だけ存在する場合には、検出部３は、ＵＳＢスイッチ４にＵＳＢホスト２を選択させた状態を継続させる。従って、一瞬だけＵＳＢホスト２からＵＳＢ信号が出力されないときには、ＵＳＢポート６が電圧供給部５に接続されることがないので、ＵＳＢホスト２とＤＡＰ２０との間でＵＳＢ信号を送受信できなくなることを防止できる。
【００３３】
図４は、図１のＰＣ１において、電源オン状態から電源オフ状態に移行する際の処理を示す。上記の通り、ＰＣ１の電源がオン状態である場合（Ｓ１１）、検出部３は、ＵＳＢスイッチ４を制御し、ＵＳＢスイッチ４にＵＳＢホスト２を選択させる。これにより、ＵＳＢポート６は、ＵＳＢホスト２に接続され（Ｓ１２）、データラインＤ＋、Ｄ−にＵＳＢホスト２からＵＳＢ信号が供給される。ＤＡＰ２０は、データラインＤ＋、Ｄ−にＵＳＢ信号が供給されていることを判断し、ＰＣ１とＵＳＢ経由で通信可能であることを認識し、＋５Ｖ電源ラインを介してＰＣ１から充電用電圧を受けて、充電処理を実行する。
【００３４】
ＰＣ１が電源オン状態から電源オフ状態に移行すると（Ｓ１３）、検出部３は、ＵＳＢホスト２からＵＳＢ信号が出力されているか（つまり、ＵＳＢ信号の所定時間当たりのパルス数が所定数以上であるか）否かを判断する（Ｓ１４）。ＵＳＢホスト２からＵＳＢ信号が出力されなくなると（Ｓ１４でＮＯ）、検出部３は、ＵＳＢスイッチ４に電圧供給部５を選択させ、ＵＳＢポート６は、電圧供給部５に接続される（Ｓ１５）。従って、データラインＤ＋、Ｄ−には電圧供給部５からの所定電圧が供給され、ＤＡＰ２０は、データラインＤ＋、Ｄ−に所定電圧が供給されていることを判断し、クレードルが接続されていると認識し、＋５Ｖ電源ラインを介してＰＣ１から充電用電圧を受けて、充電処理を実行する。
【００３５】
以上のように、本実施形態によると、ＰＣ１が電源オフ状態である等の理由で、ＵＳＢホスト２からＵＳＢ信号が供給されない場合でも、ＤＡＰ２０に充電処理を実行させることができる。
【００３６】
図５は、本発明の別の好ましい実施形態を説明する図である。本例では、ＰＣ１ＣとＤＡＰ２０との間にＵＳＢを介して接続可能であり、ＰＣ１Ｃから電源電圧を受けＤＡＰ２０に充電用電圧を供給するアダプタ装置（クレードル）１０がさらに設けられている。なお、アダプタ装置１０は、ＰＣ１Ｃから電源電圧を受けるのではなく、商用交流電源から直接電源電圧を受けてもよい。アダプタ装置１０は、図１においてＰＣ１が有する検出部３、ＵＳＢスイッチ４および電圧供給部５を備えている。また、アダプタ装置１０は、検出部２からの検出結果を受けて、ＵＳＢスイッチ４を切り換え制御する制御手段であるＭＣＵ１１をさらに備えている。アダプタ装置１０は、ＰＣ１ＣにＵＳＢを介して接続されるＵＳＢポート１２と、ＤＡＰ２０にＵＳＢを介して接続されるＵＳＢポート１３とを備える。ＵＳＢポート１２、１３は、＋５Ｖ電源電圧が供給される端子と、データラインＤ＋、Ｄ−に対応する端子と、接地電位に対応する端子とを含む。
【００３７】
本例によると、上記の実施形態と同様に、検出部３は、ＰＣ１Ｃ内のＵＳＢホスト２からＵＳＢ信号が出力されている（つまり、ＵＳＢ信号の所定時間当たりのパルス数が所定数以上である）か否かを判断し、その情報をＭＣＵ１１に通知する。ＭＣＵ１１は、ＵＳＢ信号が出力されている場合、ＵＳＢスイッチ４にＵＳＢホスト２を選択させ、ＵＳＢポート１３がＵＳＢホスト２に接続される。一方、ＭＣＵ１１は、ＵＳＢ信号が出力されていない場合、ＵＳＢスイッチ４に電圧供給部５を選択させ、ＵＳＢポート１３が電圧供給部５に接続される。なお、本例における動作は、図３、図４で説明した動作と同様であるので、説明を援用する。
【００３８】
以上、本発明の好ましい実施形態を説明したが、本発明はこれらの実施形態には限定されない。所定規格の通信ラインはＵＳＢに限定されず、充電用電圧とデータとを送信可能な他の任意の規格の通信ラインを使用することができる。
【産業上の利用可能性】
【００３９】
本発明はＰＣ等の電子機器やクレードル等に好適に適用され得る。
【符号の説明】
【００４０】
１          ＰＣ（電子機器）
２          ＵＳＢホスト
３          検出部
４          ＵＳＢスイッチ
５          電圧供給部
６          ＵＳＢポート
７          ＭＣＵ
１０        アダプタ装置
１１        ＭＣＵ
１２        ＵＳＢポート
１３        ＵＳＢポート
２０        ＤＡＰ
２１        ＵＳＢポート
【図１】
2011008673.tif 000003
【図２】
2011008673.tif 000004
【図３】
2011008673.tif 000005
【図４】
2011008673.tif 000006
【図５】
2011008673.tif 000007
【図６】
2011008673.tif 000008
【図７】
2011008673.tif 000009